(57)【要約】【課題】イジェクト力伝達用の介在物を不要とし、組み立て工数の削減、省スペースを図る光ディスク装置を提供する。【解決手段】ディスク駆動メカニズムを搭載したドロワをスライド自在に支持するガイドレールに、ドロワに対する付勢力をイジェクトバネにより付与し、前記ガイドレールがドロワを覆うカバー部材を押圧してドロワをドライブ筐体から排出させるようにした。【選択図】図１
2006190352.tif 000002
【特許請求の範囲】
【請求項１】
ディスク駆動メカニズムを搭載したドロワと、ドライブ筐体と、前記ドロワを前記ドライブ筐体に対してスライド自在に支持するガイドレールと、このガイドレールと前記ドロワの間に懸架され、前記ドロワの前記ドライブ筐体への収納に際して反発力を蓄えるイジェクトバネとを備え、前記ドロワの前記ドライブ筐体からの排出力を、前記ドロワ収納の際に蓄えられた前記イジェクトバネの反発力を開放して得ることを特徴とする光ディスク装置。
【請求項２】
ディスク駆動メカニズムを搭載したドロワを、ドライブ筐体に対してスライド自在に支持するガイドレールに、前記ドロワに対する付勢力をイジェクトバネにより付与し、前記ガイドレールが前記ドロワを裏側から覆うカバー部材を押圧して前記ドロワを前記ドライブ筐体から排出させるようにしたことを特徴とする光ディスク装置。
【請求項３】
ディスク駆動メカニズムを搭載したドロワのドライブ筐体挿入完了位置にて、前記カバー部材が前記イジェクト付勢力を受ける部位で側圧方向の分力を生成し、前記ドロワ及び前記ガイドレールに側圧を加えることを特徴とする請求項２記載の光ディスク装置。
【請求項４】
前記ガイドレール端部には、側圧を伝達する突起を備え、側圧を付与する側圧部材を一体的に形成し、前記ドロワ端部には該側圧を受ける側圧受け部を一体的に形成し、前記カバー部材には付勢力を受ける部位を一体的に形成したことを特徴とする請求項３記載の光ディスク装置。
【発明の詳細な説明】
【技術分野】
【０００１】
本発明は、光ディスク装置に関し、特に、ドロワイジェクト機構に特徴を有したノートパソコン搭載用のスリム型光ディスク装置に関する。
【背景技術】
【０００２】
一般的に、光ディスク装置には、ディスクを駆動するディスク駆動メカニズムが搭載されたドロワが設けられ、ドロワはイジェクト機構によって光ディスク装置本体に対して挿抜自在に構成されている。例えば、ドロワの排出方向における先端部にイジェクト機構を備え、光ディスク装置の前面に設けられたイジェクトボタンを押すことにより、ドロワが装置本体から排出され、一方、排出されたドロワをユーザが手動により装置本体内に挿入すると、ドロワが装置本体内に収納された状態で保持されるといったものである（例えば、特許文献１参照。）。
【０００３】
このイジェクト機構は、例えば図７乃至図９に示すように、ドロワ２１上にスライド支持したイジェクトピン２２が設けられ、或いはスライダ等をイジェクトバネ２３によりドロワ奥行き方向へ付勢し、ドロワロック時にドロワ２１を保護するための底板２４に設けた底板奥壁２４ａによって押し込みされ、イジェクトバネ２３に蓄えられた反発力によってドロワ２１が排出されるように構成されている。
【０００４】
またイジェクトに要する力を伝達するための介在部材は光ディスク装置本体２０の底板側２４に設けられることもあった。
【特許文献１】特開２０００−１３７９３７号公報
【発明の開示】
【発明が解決しようとする課題】
【０００５】
従来の構造では、このイジェクト力伝達用の介在物としてイジェクトピン、これをガイドする構造、組み立て工数、およびこれらをレイアウトするスペースが必要となり、省コスト、省スペース化の障害となっていた。また、ロック状態にあるドロワ、ガイドレールのがた取りの為に別部材(板バネ等)を追加する必要があった。
【０００６】
本発明は、上記した問題点を解決するために提案されたものであり、イジェクトに要する力を伝達するための介在物を不要とし、組み立て工数の削減、省スペースを図ることを目的としている。
【課題を解決するための手段】
【０００７】
本発明の一態様によれば、ディスク駆動メカニズムを搭載したドロワと、ドライブ筐体と、前記ドロワを前記ドライブ筐体に対してスライド自在に支持するガイドレールと、このガイドレールと前記ドロワの間に懸架され、前記ドロワの前記ドライブ筐体への収納に際して反発力を蓄えるイジェクトバネとを備え、前記ドロワの前記ドライブ筐体からの排出力を、前記ドロワ収納の際に蓄えられた前記イジェクトバネの反発力を開放して得ることを特徴とする光ディスク装置が提供される。
【０００８】
また、本発明の別の一態様によれば、ディスク駆動メカニズムを搭載したドロワを、ドライブ筐体に対してスライド自在に支持するガイドレールに、前記ドロワに対する付勢力をイジェクトバネにより付与し、前記ガイドレールが前記ドロワを裏側から覆うカバー部材を押圧して前記ドロワを前記ドライブ筐体から排出させるようにし、ディスク駆動メカニズムを搭載したドロワのドライブ筐体挿入完了位置にて、前記カバー部材が前記イジェクト付勢力を受ける部位で側圧方向の分力を生成し、前記ドロワ及び前記ガイドレールに側圧を加えることを特徴とする光ディスク装置が提供される。
【発明の効果】
【０００９】
本発明によれば、イジェクトに要する力を伝達するための介在物を不要とし、組み立て工数の削減、省スペースが図られる。
【発明を実施するための最良の形態】
【００１０】
以下、本発明の実施の形態について、図面を参照しながら説明する。尚、各図において同一箇所については同一の符号を付すとともに、重複した説明は省略する。
【００１１】
図１は光ディスク装置全体を表側から見た斜視図であり、図２は光ディスク装置全体を裏側から見た斜視図である。
【００１２】
図１に示すように、ディスク駆動メカニズムＭが搭載されたドロワ１とドロワ１の底部側を保護し、シールドするための底板２が設けられている。ドロワ１は、底板２に対してスライド可能になっており、そのためドロワ１をスライド自在に支持するガイドレール３，３がドロワ１の左右に配設されている。
【００１３】
図３はバネ取り付け部の詳細を示す斜視図であり、図４は側圧作用部の詳細を示す斜視図である。図２及び図３に示すように、ドロワ１を底板２に係止するロック側のガイドレール３とドロワ１には、それぞれフックが形成されており、ガイドレール側フック３ａとドロワ側フック１ａ間には、イジェクトバネ４が懸架されている。ロック側のガイドレール３は図３上、上方に設けられたストッパ（図示せず）で、ドロワ１は、図３上、下方に設けられたストッパ（図示せず）で、相互に位置規制されている。また、ロック側のガイドレール３はドロワ１から所望の寸法だけ突き出ているように規制されている。
【００１４】
図４に示すように、ロック側のガイドレール３端部には、側圧を付与する側圧突起部５が配設されている。この側圧突起部５はバネ性等を持たせるため、例えばポリアセタール樹脂製の樹脂バネとする。側圧突起部５の端部には、側圧を伝達するための側圧伝達突起５ａが形成されている。ドロワ１の後端部には側圧を受ける側圧受け部１ｂが形成され、また底板２の奥壁部２ａの隅部には付勢力を受ける付勢力受け壁２ｂが形成されている。尚、側圧受け部１ｂはドロワ１と一体に形成し、付勢力受け壁２ｂは底板２と一体に形成すると好適である。ドロワ挿入完了位置での相互干渉により、イジェクト付勢力を利用してドロワ１とガイドレール３間に側圧が作用するよう構成されている。かかる側圧は、ドロワ１とガイドレール３間のがたつきを抑制する。
【００１５】
次に、光ディスク装置本体へのドロワの進入と排出の際に発生する力について、図面により説明する。
【００１６】
図５（ａ）、（ｂ）、（ｃ）はドロワ進入時のイジェクトバネ４の挙動を示す説明図である。
【００１７】
図５（ａ）に示す状態では、イジェクトバネ４は懸架された初期の付勢状態にあり、ドロワ１とドロワ１上にバネ付勢されたロック側のガイドレール３が一体となって、装置本体側に進入する。
【００１８】
次に、図５(ｂ)に示す状態では、ロック側のガイドレール３の奥先端が底板奥壁部２ａに当接し、ドロワ１に対してスライドし、イジェクトバネ４は伸張途上にある。
【００１９】
図５(ｃ)に示す状態では、ドロワ１の光ディスク装置本体への挿入が完了し、ドロワ１はロックホールドされる。イジェクトバネ４の最大伸張による復元力が、ドロワ排出力として蓄えられる。これがドロワ１のロックの解除により開放され、ドロワ１は光ディスク装置本体からイジェクトされる。
【００２０】
次に、ドロワの側圧発生について説明する。図６（ａ）、（ｂ）は、ドロワ側圧の発生の様子を示す説明図である。図６（ａ）は図５(ｂ)に対応しており、イジェクトバネ４は図示していない。図６（ａ）に示すように、ガイドレール先端は底板奥壁部２ａのレール当接部２ｃに規制され、ドロワ側の側圧受け部１ｂおよびガイドレール側の側圧伝達突起５ａは近傍位置まで達している。また底板側に形成されている付勢力受け壁２ｂも近接しているが作用していない。
【００２１】
さらにドロワ１が光ディスク装置本体に進入した図６(b)に示す位置では、ドロワ側の側圧受け部１ａがガイドレール３側の側圧伝達突起５ａを押圧し、側圧突起部５の変形により外側ヘスライドされ、底板側の付勢力受け壁２ｂにガイドされてロック側のガイドレール３が手前へ押し出される。その際、前出の底板奥壁部２ａのレール当接部２ｃから離れ、全付勢力が付勢力受け壁２ｂに作用することとなり、付勢力受け壁２ｂの斜面角度に従って側圧方向とドロワ排出方向に力が分解され、ドロワ１およびガイドレール３のがたつき抑制力(側圧）が作られる。
【００２２】
以上説明したように、本実施の形態では、部品点数・工数削減による省コスト・省スペース化が可能となり、また製造時における、組み立て性の向上が図れるため組み立て時のミス低減が図れ、さらに、部品点数低減による信頼性の向上が図れる。また、レールとドロワ同時に付勢可能なる構成により、がたつき防止効果の向上が図れる。特に、高スピード時における振動防止効果が得られ、騒音の低減が図れる。
【００２３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２４】
【図１】本発明の実施形態に係る光ディスク装置全体を表側から見た斜視図である。
【図２】本発明の実施形態に係る光ディスク装置全体を裏側から見た斜視図である。
【図３】本発明の実施形態に係る光ディスク装置のバネ取り付け部の詳細を示す斜視図である。
【図４】本発明の別の実施形態に係る光ディスク装置の側圧作用部の詳細を示す斜視図である。
【図５（ａ）】ドロワ進入時のイジェクトバネの挙動を示す説明図である。
【図５（ｂ）】ドロワ進入時のイジェクトバネの挙動を示す説明図である。
【図５（ｃ）】ドロワ進入時のイジェクトバネの挙動を示す説明図である。
【図６（ａ）】ドロワ側圧の発生の様子を示す説明図である。
【図６（ｂ）】ドロワ側圧の発生の様子を示す説明図である。
【図７】従来の光ディスク装置全体を表側から見た斜視図である。
【図８】従来の光ディスク装置全体を裏側から見た斜視図である。
【図９】従来の光ディスク装置のイジェクト機構を示す斜視図である。
【符号の説明】
【００２５】
１０・・・光ディスク装置、１・・・ドロワ、１ａ・・・ドロワ側フック、１ｂ・・・側圧受け部、２・・・底板、２ａ・・・奥壁部、２ｂ・・・付勢力受け壁、２ｃ・・・レール当接部、３・・・ガイドレール、３ａ・・・ガイドレール側フック、４・・・イジェクトバネ、５・・・側圧突起部、５ａ・・・側圧伝達突起。
【図１】
2006190352.tif 000003
【図２】
2006190352.tif 000004
【図３】
2006190352.tif 000005
【図４】
2006190352.tif 000006
【図５（ａ）】
2006190352.tif 000007
【図５（ｂ）】
2006190352.tif 000008
【図５（ｃ）】
2006190352.tif 000009
【図６（ａ）】
2006190352.tif 000010
【図６（ｂ）】
2006190352.tif 000011
【図７】
2006190352.tif 000012
【図８】
2006190352.tif 000013
【図９】
2006190352.tif 000014